(57)【要約】【課題】          従来の構造に比較し、部品点数、工程数を削減でき、また固定金具の螺子孔を省略し、透光開口部を大きくとることができ、光源からの光を有効利用することができる照明器具を提供することを課題とする。【解決手段】      器具本体１１の内部に反射鏡１７とランプソケット１６を備え、器具本体は上下に２分割して構成し、下部器具本体１３の開口部に透光性カバー１４を支持し、また透光性カバーは周辺一部を上部器具本体１２の内壁一部に設けた押圧部材１８で押圧されるように構成してある。また押圧部材は弾性部材により上下動するように構成してある。また上部器具本体の内部に装着してなる反射鏡は上部器具本体の内壁に構成した位置決め部材に一部が当接され、反射鏡の下端は透光性カバーの周辺を押圧するように構成してある。【選択図】          図１
2005267922.tif 000002
【特許請求の範囲】
【請求項１】
器具本体の内部に反射鏡とランプソケットを備え、器具本体は上下に２分割して構成し、下部器具本体の開口部に透光性カバーを支持し、また透光性カバーは周辺一部を上部器具本体の内壁一部に設けた押圧部材で押圧されるように構成したことを特徴とする照明器具。
【請求項２】
押圧部材は弾性部材により上下動するように構成したことを特徴とする請求項１記載の照明器具。
【請求項３】
器具本体の内部に反射鏡とランプソケットを備え、器具本体は上下に２分割して構成し、下部器具本体の開口部に透光性カバーを支持し、また上部器具本体の内部に装着してなる反射鏡は上部器具本体の内壁に構成した位置決め部材に一部が当接され、反射鏡の下端は透光性カバーの周辺を押圧するように構成したことを特徴とする照明器具。
【請求項４】
位置決め部材は弾性部材により上下動するように構成したことを特徴とする請求項３記載の照明器具。
【請求項５】
器具本体の内部に反射鏡とランプソケットを備え、器具本体は上下に２分割して構成し、下部器具本体の開口部に透光性カバーを支持し、また上部器具本体の内部に装着してなる反射鏡は上部器具本体の内壁に構成した位置決め部材に一部が当接され、透光性カバーは周辺一部を上部器具本体の内壁一部に設けた押圧部材で押圧されるように構成したことを特徴とする照明器具。
【請求項６】
位置決め部材と押圧部材は双方または一方が弾性部材により上下動するように構成したことを特徴とする請求項５記載の照明器具。
【発明の詳細な説明】
【技術分野】
【０００１】
本発明は照明器具本体の内部に、反射鏡とランプソケットを装着し、本体を上下２分割とした照明器具に関し、特に照明器具本体と透光性カバーの支持構造の改良に関する。
【背景技術】
【０００２】
従来の道路灯として使用する照明器具は、図７に示すように、照明器具１の開口部に透光性カバー２を配置し、パッキンを介して複数個の固定金具３により、両者を支持する構造が一般的である。
【０００３】
ところで、道路灯として使用する照明器具は、防水性と防虫性を必要とするため、照明器具本体と透光性カバーは確実に密接する必要がある。
【０００４】
【特許文献１】特開２０００−３２２９０３公報
【発明の開示】
【発明が解決しようとする課題】
【０００５】
ところで、器具本体と透光性カバーを密接するには、透光性カバーの周囲をなるべく広い範囲で押さえる構造とする必要がある。そのため、適所に押え枠を介して複数の螺子で支持する必要がある。また多数の小さい金具を当接して螺子で支持する必要がある。
【０００６】
また押え枠は透光性カバーの形に合わせて作る必要があり、単純な形状の金具に対してコスト高となり、さらに異なる形状の製品には流用し難い欠点がある。
【０００７】
また小さい金具は透光性カバーを支持するのに多数とり付ける必要があるため、部品点数、螺子止め等の工程数が増える欠点がある。
【０００８】
本発明は上記の点に鑑み発明したものであって、少ない部品で照明器具本体に透光性カバーを確実に支持することができ、防水性と防虫性が増大し、さらに作業工程を減らすことができる照明器具を提供することを目的とする。
【課題を解決するための手段】
【０００９】
本発明は上記課題を解決するために請求項１記載の発明は、器具本体の内部に反射鏡とランプソケットを備え、器具本体は上下に２分割して構成し、下部器具本体の開口部に透光性カバーを支持してある。
また透光性カバーは周辺一部を上部器具本体の内壁一部に設けた押圧部材で押圧されるように構成してある。
【００１０】
請求項２に記載の発明は、請求項１に記載の、押圧部材を弾性部材により上下動するように構成してある。
【００１１】
請求項３に記載の発明は、器具本体の内部に反射鏡とランプソケットを備え、器具本体は上下に２分割して構成し、下部器具本体の開口部に透光性カバーを支持してある。
また上部器具本体の内部に装着してなる反射鏡は上部器具本体の内壁に構成した位置決め部材に一部が当接され、反射鏡の下端は透光性カバーの周辺を押圧するように構成してある。
【００１２】
請求項４に記載の発明は、請求項３に記載の、位置決め部材を弾性部材により上下動するように構成してある。
【００１３】
請求項５に記載の発明は、器具本体の内部に反射鏡とランプソケットを備え、器具本体は上下に２分割して構成し、下部器具本体の開口部に透光性カバーを支持してある。
また上部器具本体の内部に装着してなる反射鏡は上部器具本体の内壁に構成した位置決め部材に一部が当接され、透光性カバーは周辺一部を上部器具本体の内壁一部に設けた押圧部材で押圧されるように構成してある。
【００１４】
請求項６に記載の発明は、請求項５に記載の、位置決め部材と押圧部材の双方または一方が弾性部材により上下動するように構成してある。
【発明の効果】
【００１５】
上記した本発明によると、従来の照明器具に比べ、部品点数、工程数を削減できる。また固定金具の螺子孔を省略できるため、透光開口部を大きくとることができる。透光開口部を数センチメートル大きく設けると、光源からの光を有効利用することができる。
【発明を実施するための最良の形態】
【００１６】
次に発明を実施するための最良の形態について説明する。
【実施例１】
【００１７】
図１及び図２は、本発明に係わる照明器具の一実施例を示す図である。図において、１１は器具本体であって、上部器具本体１２と下部器具本体１３に２分割して構成してある。１４は下部器具本体１３の開口部に支持してなる透光性カバーであって、例えばガラス板で平板状に構成してある。１５は下部器具本体１３の内部に固定してなるソケット支持板、１６はソケット支持板１５に固定してなるランプソケット、１７は下面を開口した反射鏡であって、上部器具本体１２に固定してある。１８は上部器具本体１２の内側壁一部に設けた押圧部材であって、上部器具本体１２を下部器具本体１３に対して閉じると、押圧部材１８の下端部が透光性カバーの周辺一部を押圧するように構成してある。同押圧部材１８は上部器具本体１２の内側壁一部に、例えば２対程度設けると、透光性カバー全体を平均的に押圧することができる。１９は上部器具本体１２と下部器具本体１３を開閉自在に構成するための蝶番である。
なお上記ランプソケット１６は上部器具本体１２に固定し、上部器具本体１２と一緒に開閉するように構成してもよい。この場合、反射鏡１７は上部器具本体１２に固定する。
また押圧部材１８は弾性部材により上下動するように構成する。例えば押圧部材１８を筒状に構成し、同筒状内部にコイルバネ１９を嵌入し、突出入するようにする。
【実施例２】
【００１８】
図３及び図４は他の実施例であって、図１及び図２に示す実施例１における上部器具本体１２の内部の天壁に位置決め部材３０を設けて構成してある。位置決め部材３０は例えば上部器具本体１２の内部の天壁に一定の間隔を有して２箇所に設ける。なお実施例２では、上部器具本体１２の内側壁一部に設けた押圧部材は設けない構造としてある。
また実施例２では、反射鏡１７の下端は透光性カバー１４の周辺を押圧するように構成してある。同構造によると、透光性カバー１４は反射鏡１７の下端により均一に押圧される。また位置決め部材３０を弾性部材により上下動するように構成してある。上下動するように構成するには、例えば位置決め部材を筒状に構成し、同筒状内部にコイルバネを嵌入し、突出入するようにする。同構造は実施例１に示すものと同じである。
【実施例３】
【００１９】
図５は他の実施例であって、実施例１と同様に、器具本体の内部に反射鏡１７とランプソケット１６を備え、器具本体は上下に２分割して構成し、下部器具本体１３の開口部に透光性カバー１４を支持してある。
上部器具本体１２の内壁に位置決め部材３０を構成し、また上部器具本体１２の内壁一部に押圧部材１８を構成してある。
そして、反射鏡１７は上部器具本体１２の内壁に構成した位置決め部材３０に当接され、透光性カバー１４は周辺が上部器具本体１２の内壁一部に設けた押圧部材１８で平均的に押圧される。
また位置決め部材３０と押圧部材１８の双方または一方が弾性部材により上下動する。上下動する構造は、上記実施例１と実施例２と同じく、例えば位置決め部材と押圧部材を筒状に構成し、同筒状内部にコイルバネを嵌入し、突出入するようにして構成してある。
【００２０】
また上記した実施例１乃至実施例３における透光性カバーは下部器具本体にパッキンを介して取付けられる。透光性カバーは例えば前後方向において、固定金具によって固定されている。固定金具によって固定することにより、上部器具本体１２を開いたときに透光性カバーが支持された状態を保つことができる。
【図面の簡単な説明】
【００２１】
【図１】本発明に係る照明器具の一部切欠き側面図。
【図２】図１の照明器具の一部切欠き背面図。
【図３】本発明に係る他の照明器具の一部切欠き側面図。
【図４】図３の照明器具の一部切欠き背面図。
【図５】本発明に係る他の照明器具の一部切欠き側面図。
【図６】本発明に係る上部器具本体を開状態としたときの一部切欠き側面図。
【図７】従来の照明器具の一部切欠き側面図。
【符号の説明】
【００２２】
１１  器具本体
１２  上部器具本体
１３  下部器具本体
１４  透光性カバー
１５  ソケット支持板
１６  ランプソケット
１７  反射鏡
１８  押圧部材
１９  蝶番
３０  位置決め部材
【図１】
2005267922.tif 000003
【図２】
2005267922.tif 000004
【図３】
2005267922.tif 000005
【図４】
2005267922.tif 000006
【図５】
2005267922.tif 000007
【図６】
2005267922.tif 000008
【図７】
2005267922.tif 000009